(57)【要約】【課題】外観デザインを向上させることができると共に、静電気対策をその作業工数削減を図りつつ確実に行うことができ、信頼性向上を図り得るキー構造及び該キー構造を備えた電子機器を提供する。【解決手段】下部筐体の表面側のケース部材２ｂ１における側面部にパーティングライン７にかからないよう形成した開口部８の内側からサイドキー本体６ａのキートップ部６ｂを挿入して外部に露出させ、開口部８内側に引っ掛かり外側への脱落を防止するようサイドキー本体６ａに形成されたフランジ部６ｃを、導電性を有する押え部材１２により、サイドキー本体６ａによる押圧スイッチの押圧動作を妨げないよう、ケース部材２ｂ１内部における開口部８の縁部に形成されたリブ１３と一緒に抱え込むようにして保持し、押え部材１２を回路基板のグランドラインの端子に接触させるよう構成する。【選択図】図２
2006066280.tif 000002
【特許請求の範囲】
【請求項１】
筐体に形成された開口部から外部に露出させたキー本体のキートップ部を押すことにより、筐体内部に固定される回路基板に配置された押圧スイッチを作動させるよう構成したキー構造であって、
前記開口部の内側からキー本体のキートップ部を挿入して外部に露出させると共に、前記開口部内側に引っ掛かるキー本体に形成されたフランジ部を、導電性を有する押え部材により筐体内部における開口部の縁部に形成されたリブと一緒に抱え込み保持し、
前記押え部材を回路基板のグランドラインに導通させたことを特徴とするキー構造。
【請求項２】
前記押え部材が前記キー本体のキートップ部と反対側の面を支持し、前記回路基板に押圧スイッチを複数個配置すると共に、キー本体に各押圧スイッチを押下可能な複数個の押子部を形成し、該各押子部に面する押え部材の対応箇所に、各押子部と各押圧スイッチとを当接させるための切欠部を設けたことを特徴とする請求項１記載のキー構造。
【請求項３】
前記キー本体における少なくとも二つの前記押子部の中間に、該キー本体のキートップ部を押した際に、前記押え部材に当接してキー本体を揺動させるための支点となる突出部を設けたことを特徴とする請求項２記載のキー構造。
【請求項４】
前記押え部材は、一枚の板金から構成され、前記フランジ部と前記リブとを抱え込み保持する断面略コ字状の折曲部と、グランドラインに接触して導通する舌片とは、前記板金の曲げ加工にて形成してなることを特徴とする請求項１〜３いずれか一つに記載のキー構造。
【請求項５】
前記筐体は、複数のケース部材を嵌め合わせて構成され、該複数のケース部材の分割線をまたがずに前記開口部が配されることを特徴とする請求項１〜４いずれか一つに記載のキー構造。
【請求項６】
筐体に形成された開口部から外部に露出させたキー本体のキートップ部を押すことにより、筐体内部に固定される回路基板に配置された押圧スイッチを作動させるよう構成したキー構造を備えた電子機器であって、
前記開口部の内側からキー本体のキートップ部を挿入して外部に露出させると共に、前記開口部内側に引っ掛かるキー本体に形成されたフランジ部を、導電性を有する押え部材により筐体内部における開口部の縁部に形成されたリブと一緒に抱え込み保持し、
前記押え部材を回路基板のグランドラインに導通させたことを特徴とするキー構造を備えた電子機器。
【請求項７】
前記押え部材が前記キー本体のキートップ部と反対側の面を支持し、前記回路基板に押圧スイッチを複数個配置すると共に、キー本体に各押圧スイッチを押下可能な複数個の押子部を形成し、該各押子部に面する押え部材の対応箇所に、各押子部と各押圧スイッチとを当接させるための切欠部を設けたことを特徴とする請求項６記載のキー構造を備えた電子機器。
【請求項８】
前記キー本体における少なくとも二つの前記押子部の中間に、該キー本体のキートップ部を押した際に、前記押え部材に当接してキー本体をシーソーの如く揺動させるための支点となる突出部を設けたことを特徴とする請求項７記載のキー構造を備えた電子機器。
【請求項９】
前記押え部材は、一枚の板金から構成され、前記フランジ部と前記リブとを抱え込み保持する断面略コ字状の折曲部と、グランドラインに接触して導通する舌片とは、前記板金の曲げ加工にて形成してなることを特徴とする請求項６〜８いずれか一つに記載のキー構造を備えた電子機器。
【請求項１０】
前記筐体は、複数のケース部材を嵌め合わせて構成され、該複数のケース部材の分割線をまたがずに前記開口部が配されることを特徴とする請求項６〜９いずれか一つに記載のキー構造を備えた電子機器。 
【発明の詳細な説明】
【技術分野】
【０００１】
本発明は、キー構造及び該キー構造を備えた電子機器に関するものである。
【背景技術】
【０００２】
近年、携帯電話機やＰＨＳ等の移動通信機、或いはＰＤＡ（Personal Digital Assistant）やデジタルカメラといった電子機器が急速に普及してきているが、斯かる電子機器においては、筐体の側面部にサイドキーを装備したものがある。
【０００３】
図４は電子機器としての折畳式の携帯電話機の一例を示すものであって、１は携帯電話機、２は携帯電話機１を形成する筐体であり、折畳式の携帯電話機１は、筐体２を第一の筐体としての上部筐体２ａと第二の筐体としての下部筐体２ｂとに分割し、それらをヒンジモジュール３を介して開閉可能となるよう互いに回動自在に連結してなる構成を有している。
【０００４】
前記上部筐体２ａには、液晶ディスプレイ（ＬＣＤ：Liquid Crystal Display）等の表示器４が設けられる一方、前記下部筐体２ｂには、多数のキー５が配置され且つ回路基板やバッテリー（図示せず）が内蔵されると共に、前記下部筐体２ｂの側面部には、サイドキー６が装備されている。
【０００５】
前記下部筐体２ｂは、多数のキー５が配置される表面側のケース部材２ｂ１と、背面側のケース部材２ｂ２とを組み付けるようになっており、表面側のケース部材２ｂ１には、図５及び図６に示される如く、背面側のケース部材２ｂ２とのつなぎ目となるパーティングライン７の部分を一部切り欠くことによって開口部８′が形成されると共に、その内側には、サイドキー６を装着して押した際に該サイドキー６が内側へ潜り込まないようにするためのリブ９が形成され、該リブ９には、サイドキー６の押子部（図示せず）と図示していない回路基板に配置される押圧スイッチとを当接させるための切欠部１０が設けられている。尚、図示は省略しているが、背面側のケース部材２ｂ２にも、同様に、表面側のケース部材２ｂ１とのつなぎ目となるパーティングラインの部分を一部切り欠くことによって開口部が形成されると共に、その内側には、サイドキー６を装着して押した際に該サイドキー６が内側へ潜り込まないようにするためのリブが形成され、該リブには、サイドキー６の押子部（図示せず）と図示していない回路基板に配置される押圧スイッチとを当接させるための切欠部が設けられている。
【０００６】
ここで、前記サイドキー６は、下部筐体２ｂの側面部に形成された開口部８′から外部に露出させるサイドキー本体６ａのキートップ部６ｂと、前記開口部８′内側に位置するようサイドキー本体６ａに形成されたフランジ部６ｃとを備え、図５に示される如く、表面側のケース部材２ｂ１の開口部８′に対し、その開口面と平行な方向へサイドキー本体６ａをスライドさせるようにして組み入れると共に、図示していない押圧スイッチが配置された回路基板をセットし、背面側のケース部材２ｂ２を前記表面側のケース部材２ｂ１に対して組み付け、これにより、前記開口部８′から外部に露出させたサイドキー本体６ａのキートップ部６ｂを押すことによって、下部筐体２ｂ内部に固定される回路基板に配置された押圧スイッチを作動させるよう構成されている。
【０００７】
尚、図４〜図６に示されるような携帯電話機におけるサイドキーを示すものとしては、例えば、特許文献１がある。
【０００８】
一方、前述の如き携帯電話機１においては、前記サイドキー６の部分から回路基板の電子部品に静電気が飛び込むことを防止するための対策として、図示していない銅箔シートを追加し、発生した静電気を回路基板のグランド端子へ誘導することも行われている。
【０００９】
尚、携帯電話機ではないが、電器回路への静電気の飛び込みの影響をなくすためのカメラのボタンスイッチ構造を示すものとしては、例えば、特許文献２がある。
【特許文献１】特開２００４−２０４２９８号公報
【特許文献２】特開２００４−８７２２０号公報
【発明の開示】
【発明が解決しようとする課題】
【００１０】
しかしながら、前述の如く、表面側のケース部材２ｂ１と背面側のケース部材２ｂ２とのつなぎ目となるパーティングライン７の部分を一部切り欠くことによって開口部８′を形成するのでは、パーティングライン７が途中で途切れてしまい、直線的につながらなくなるため、外観デザイン上、見栄えが悪くなるという欠点を有していた。
【００１１】
又、回路基板の電子部品に静電気が飛び込むことを防止するための対策として、銅箔シートを追加するのでは、該銅箔シートは、貼り付ける際に切れたりしやすく、作業に手間がかかり、作業工数が増加する一方、貼り付けた後に切れる可能性もあり、信頼性の面で改善の余地が残されていた。
【００１２】
本発明は、斯かる実情に鑑み、外観デザインを向上させることができると共に、静電気対策をその作業工数削減を図りつつ確実に行うことができ、信頼性向上を図り得るキー構造及び該キー構造を備えた電子機器を提供しようとするものである。
【課題を解決するための手段】
【００１３】
本発明は、筐体に形成された開口部から外部に露出させたキー本体のキートップ部を押すことにより、筐体内部に固定される回路基板に配置された押圧スイッチを作動させるよう構成したキー構造であって、
前記開口部の内側からキー本体のキートップ部を挿入して外部に露出させると共に、前記開口部内側に引っ掛かるキー本体に形成されたフランジ部を、導電性を有する押え部材により筐体内部における開口部の縁部に形成されたリブと一緒に抱え込み保持し、
前記押え部材を回路基板のグランドラインに導通させたことを特徴とするキー構造にかかるものである。
【００１４】
前記キー構造においては、押え部材が前記キー本体のキートップ部と反対側の面を支持し、回路基板に押圧スイッチを複数個配置すると共に、キー本体に各押圧スイッチを押下可能な複数個の押子部を形成し、該各押子部に面する押え部材の対応箇所に、各押子部と各押圧スイッチとを当接させるための切欠部を設けることができる。
【００１５】
又、前記キー本体における少なくとも二つの前記押子部の中間に、該キー本体のキートップ部を押した際に、前記押え部材に当接してキー本体をシーソーの如く揺動させるための支点となる突出部を設けることもできる。
【００１６】
更に又、前記押え部材は、一枚の板金から構成され、前記フランジ部と前記リブとを抱え込み保持する断面略コ字状の折曲部と、グランドラインに接触して導通する舌片とは、前記板金の曲げ加工にて形成することもできる。
【００１７】
又、前記筐体は、複数のケース部材を嵌め合わせて構成され、該複数のケース部材の分割線をまたがずに前記開口部が配されるようにすることもできる。
【００１８】
一方、本発明は、筐体に形成された開口部から外部に露出させたキー本体のキートップ部を押すことにより、筐体内部に固定される回路基板に配置された押圧スイッチを作動させるよう構成したキー構造を備えた電子機器であって、
前記開口部の内側からキー本体のキートップ部を挿入して外部に露出させると共に、前記開口部内側に引っ掛かるキー本体に形成されたフランジ部を、導電性を有する押え部材により筐体内部における開口部の縁部に形成されたリブと一緒に抱え込み保持し、
前記押え部材を回路基板のグランドラインに導通させたことを特徴とするキー構造を備えた電子機器にかかるものである。
【００１９】
前記キー構造を備えた電子機器においては、押え部材が前記キー本体のキートップ部と反対側の面を支持し、回路基板に押圧スイッチを複数個配置すると共に、キー本体に各押圧スイッチを押下可能な複数個の押子部を形成し、該各押子部に面する押え部材の対応箇所に、各押子部と各押圧スイッチとを当接させるための切欠部を設けることができる。
【００２０】
又、前記キー本体における少なくとも二つの前記押子部の中間に、該キー本体のキートップ部を押した際に、前記押え部材に当接してキー本体をシーソーの如く揺動させるための支点となる突出部を設けることもできる。
【００２１】
更に又、前記押え部材は、一枚の板金から構成され、前記フランジ部と前記リブとを抱え込み保持する断面略コ字状の折曲部と、グランドラインに接触して導通する舌片とは、前記板金の曲げ加工にて形成することもできる。
【００２２】
又、前記筐体は、複数のケース部材を嵌め合わせて構成され、該複数のケース部材の分割線をまたがずに前記開口部が配されるようにすることもできる。
【発明の効果】
【００２３】
本発明のキー構造及び該キー構造を備えた電子機器によれば、外観デザインを向上させることができると共に、静電気対策をその作業工数削減を図りつつ確実に行うことができ、信頼性向上を図り得るという優れた効果を奏し得る。
【発明を実施するための最良の形態】
【００２４】
以下、本発明の実施の形態を添付図面を参照して説明する。
【００２５】
図１〜図３は本発明を実施する形態の一例であって、図中、図４〜図６と同一の符号を付した部分は同一物を表わしており、例示する電子機器は、ヒンジモジュール３を介して折り畳み可能に構成された携帯電話機１であり、特に図示はしないが制御部の制御のもと、操作部としてのキー５の操作を表示部としての表示器４に表示し、無線通信部を利用してネットワークに接続された基地局との無線通信を行うものである。
【００２６】
前記携帯電話機１は、表示部としての表示器４の保護や、非使用時において筐体２を小型化するために折り畳み構造を取っているが、前記操作部が全く操作できないと不都合が生じる。
【００２７】
例えば、前記携帯電話機１を折り畳んだ時に内側になり隠れる表示部の他に、その背面（折り畳んだ際に外側に露出する面）にサブ表示部を設けたりし、ここに時計や電波状況といった必要最低限の情報を示したりしており、このサブ表示部に含まれるバックライトは省電力化のため、必要な時にだけオンされるようになっているが、前記筐体２を折り畳んでその操作部が全く操作できない状態であっても、前記サブ表示部のバックライトをオンする要求を行う時などに用いられるのがサイドキー６である。
【００２８】
そして、本発明を実施する形態の一例においては、図１〜図３に示す如く、下部筐体２ｂの表面側のケース部材２ｂ１における側面部に、背面側のケース部材２ｂ２との分割線としてのパーティングライン７にかからないよう開口部８を形成し、該開口部８の内側からサイドキー本体６ａのキートップ部６ｂを挿入して外部に露出させると共に、前記開口部８内側に引っ掛かり外側への脱落を防止するようサイドキー本体６ａに形成されたフランジ部６ｃを、導電性を有する押え部材１２により、サイドキー本体６ａによる押圧スイッチ１１の押圧動作を妨げないよう、前記下部筐体２ｂの表面側のケース部材２ｂ１内部における開口部８の縁部に形成されたリブ１３と一緒に抱え込むようにして保持し、前記押え部材１２を回路基板１４のグランドラインの端子１５に接触させ、筐体２内に侵入する静電気を押え部材１２を介してグランドラインへ誘導し得るよう構成してある。
【００２９】
本図示例の場合、前記回路基板１４の周縁部に、外側に向けて押圧スイッチ１１を複数個（図１〜図３の例では二個）配置すると共に、サイドキー本体６ａに各押圧スイッチ１１を押下可能な複数個（図１〜図３の例では二個）の押子部６ｄを形成し、該各押子部６ｄに面する押え部材１２の対応箇所に、各押子部６ｄと各押圧スイッチ１１とを当接させるための切欠部１２ａを設けるようにしてある。尚、サイドキー本体６ａは、例えば、軟質のシリコンゴムのベースシート上に、ＡＢＳ樹脂のキートップ部６ｂが接着されて形成される。
【００３０】
ここで、前記サイドキー６が設けられる箇所に対応する回路基板１４の周縁部のラインは、図３に示す如く、サイドキー６との干渉を避けるよう僅かに内側に凹ませた形状に切り欠いて、切欠凹部１４ａを形成し、該切欠凹部１４ａの縁部に押圧スイッチ１１を設ける一方、サイドキー本体６ａの押子部６ｄは、サイドキー６の押圧スイッチ１１に対向する面において、ケース部材２ｂ１の厚さ方向に対し中ほどに設けてあり、これにより、前記サイドキー６は、回路基板１４の切欠凹部１４ａ内に組み込まれる形でケース部材２ｂ１に固定され、極力ケース部材２ｂ１の厚さが増大しないよう考慮されている。
【００３１】
又、前記開口部８の周縁と押え部材１２とで挟まれ且つ前記二個の押圧スイッチ１１から略等しい距離となるサイドキー本体６ａの所要箇所に、該サイドキー本体６ａのキートップ部６ｂを押した際に押え部材１２の中央部１２ｄに当接してこれを支点としてサイドキー本体６ａをシーソーの如く揺動させるための支点となる突出部６ｅを設けるようにしてある。
【００３２】
更に又、前記押え部材１２は、細長い一枚の板金の長手方向両端部を直角に一回ずつ曲げて、前記サイドキー本体６ａのフランジ部６ｃと前記リブ１３とを把持可能な屈曲部１２ｂ１を設けると共に、前記直角に曲げた部分の先端部を更にもう一回ずつ直角に曲げて、前記リブ１３とケース部材２ｂ１の側壁との隙間に差し込み可能な先端屈曲部１２ｂ２を設けることにより、前記サイドキー本体６ａのフランジ部６ｃと前記リブ１３とを抱え込むようにして保持する断面略コ字状の折曲部１２ｂを形成し、該折曲部１２ｂがケース部材２ｂ１に取り付けられた状態において前記押圧スイッチ１１のストローク方向へサイドキー６が押された際にその力に抗して移動が規制されるよう構成してある。更に、前記押え部材１２の一方の屈曲部１２ｂ１の下端からは、前記回路基板１４に接する方向へ延びる舌片１２ｃを、屈曲部１２ｂ１と略直角に折り曲げて形成し、該舌片１２ｃを、若干の弾性を有するバネ接点として回路基板１４のグランドラインの端子１５に接触させるようにしてある。
【００３３】
尚、前記回路基板１４には、グランドラインが敷かれており、ここにシールドケース等も接続される。例えば、図３において、Ａはベースバンドチップセットであり、この周辺やアンテナ周辺には高周波回路等が実装されているが、これらは外部からのノイズに弱いばかりか、電磁波を発生するために、シールドケースを必要としている。背面側のケース部材２ｂ２の内側面にはメッキ処理が施されており、又、図３の回路基板１４には、前記グランドラインに導通されるバネ接点Ｂが備えられ、前記背面側のケース部材２ｂ２が表面側のケース部材２ｂ１に取り付けられた際に、バネ接点Ｂが背面側のケース部材２ｂ２のメッキ処理部分に当接して、該メッキ処理部分がグランドラインに導通することにより、シールドケースが構成されるようになっている。
【００３４】
次に、上記図示例の作用を説明する。
【００３５】
前述の如く構成すると、パーティングライン７を外して設けた開口部８の内側からサイドキー本体６ａのキートップ部６ｂを挿入する関係上、従来のように、サイドキー６を装着して押した際に該サイドキー６が内側へ潜り込まないようにするためのリブ９（図５及び図６参照）を設けることはできないが、該リブ９の代りに別部品としての押え部材１２を採用することによりサイドキー６を保持することができ、下部筐体２ｂの表面側のケース部材２ｂ１における側面部に形成された開口部８から外部に露出させたサイドキー本体６ａのキートップ部６ｂの一方の端部を押した場合、押え部材１２の中央部１２ｄに突出部６ｅが当接してこれを支点としてサイドキー本体６ａがシーソーの如く揺動し、押された側の一方の押子部６ｄによって、回路基板１４に配置された一方の押圧スイッチ１１を押圧させることが可能となり、又、前記サイドキー本体６ａのキートップ部６ｂの他方の端部を押した場合には、同様に突出部６ｅを支点としてサイドキー本体６ａがシーソーの如く揺動し、押された側の他方の押子部６ｄによって、回路基板１４に配置された他方の押圧スイッチ１１を押圧させることが可能となる。
【００３６】
ここで、本図示例においては、下部筐体２ｂの表面側のケース部材２ｂ１における側面部に、背面側のケース部材２ｂ２とのパーティングライン７にかからないよう開口部８を形成し、該開口部８の内側からサイドキー本体６ａのキートップ部６ｂを挿入して外部に露出させると共に、前記開口部８内側に位置するようサイドキー本体６ａに形成されたフランジ部６ｃを、サイドキー本体６ａによる押圧スイッチ１１の押圧動作を妨げないようにした押え部材１２により、前記下部筐体２ｂの表面側のケース部材２ｂ１内部における開口部８の縁部に形成されたリブ１３と一緒に抱え込むようにして保持してあるため、従来のように、下部筐体２ｂの表面側のケース部材２ｂ１と背面側のケース部材２ｂ２とのつなぎ目となるパーティングライン７の部分を一部切り欠くことによって開口部８′を形成するのとは異なり、パーティングライン７が途中で途切れず、直線的につながるため、外観デザイン上、見栄えが良くなる。
【００３７】
又、一枚の板金を曲げ加工することによって構成した押え部材１２の舌片１２ｃを回路基板１４のグランドラインの端子１５に接触させ、筐体２内に侵入する静電気を押え部材１２を介してグランドラインへ誘導することができるようにしてあるため、従来のように、回路基板１４の電子部品に静電気が飛び込むことを防止するための対策として、貼り付ける際や貼り付けた後に切れる可能性のある銅箔シートを追加するのに比べ、前記押え部材１２を組み付ける作業に手間がかからず、作業工数が減少すると共に、前記押え部材１２は組み付けた後に切れる心配もなく、信頼性も高まることとなる。
【００３８】
こうして、外観デザインを向上させることができると共に、静電気対策をその作業工数削減を図りつつ確実に行うことができ、信頼性向上を図り得る。
【００３９】
尚、本発明のキー構造及び該キー構造を備えた電子機器は、上述の図示例にのみ限定されるものではなく、携帯電話機に限らず、ＰＤＡやデジタルカメラ等にも適用可能なこと等、その他、本発明の要旨を逸脱しない範囲内において種々変更を加え得ることは勿論である。又、本発明のキー構造及び該キー構造を備えた電子機器の説明として、サイドキー６を用いて説明したが、側面に備えたものだけでなく、背面や正面等、同様の構成をとることができる箇所であれば、その箇所に適用しても良いことは言うまでもない。
【図面の簡単な説明】
【００４０】
【図１】本発明を実施する形態の一例を示す側面図である。
【図２】本発明を実施する形態の一例における下部筐体の表面側のケース部材を裏返してその内面側を示す斜視図であって、サイドキーを組み付ける途中の状態を示す図である。
【図３】図２に示す状態から更に回路基板をセットした状態を示す斜視図である。
【図４】電子機器としての折畳式の携帯電話機の従来例を示す斜視図である。
【図５】従来例における下部筐体の表面側のケース部材を示す斜視図であって、サイドキーを組み付ける途中の状態を示す図である。
【図６】図５に示される下部筐体の表面側のケース部材を裏返してその内面側を示す斜視図である。
【符号の説明】
【００４１】
１      携帯電話機（電子機器）
２      筐体
２ｂ    下部筐体
２ｂ１  ケース部材
２ｂ２  ケース部材
６      サイドキー（キー）
６ａ    サイドキー本体（キー本体）
６ｂ    キートップ部
６ｃ    フランジ部
６ｄ    押子部
６ｅ    突出部
７      パーティングライン（分割線）
８      開口部
１１      押圧スイッチ
１２      押え部材
１２ａ    切欠部
１２ｂ    折曲部
１２ｃ    舌片
１３      リブ
１４      回路基板
１５      端子
【図１】
2006066280.tif 000003
【図２】
2006066280.tif 000004
【図３】
2006066280.tif 000005
【図４】
2006066280.tif 000006
【図５】
2006066280.tif 000007
【図６】
2006066280.tif 000008